(57)【特許請求の範囲】
【請求項１】
カメラを固定するカメラ搭載部を備えた第１の固定部材と、支柱を間に入れて前記第１の固定部材と対面配置される第２の固定部材とから成り、前記第１の固定部材と前記第２の固定部材で前記支柱を挟み込み、前記第１の固定部材と前記第２の固定部材の両端部をそれぞれ固定用ネジで締結することによって前記支柱への固定がなされるカメラ取付装置において、
第１の固定部材が、前記第１の固定部材の片方の端部に回転自在に取り付けられた第１の軸部を備え、前記第２の固定部材が、前記第１の軸部に先端が螺子締結されるとともに、前記第１の軸部と対面する前記第２の固定部材の端部に取り付けられた前記支柱の外径に合わせて前記第１の固定部材と前記第２の固定部材の距離が調整される長穴付きガイドを有する二つの連結部材を備え、前記連結部材を介して回転自在に連結された前記第１の固定部材と前記第２の固定部材で前記支柱を挟み込んだ後、前記第１の固定部材と前記第２の固定部材の他方の端部同士が前記第１の固定部材に回転自在に取り付けられた前記固定用ネジの首部を前記第２の固定部材の切欠き部に引っ掛けた後に前記固定用ネジを締め付けて締結することで前記支柱への固定がなされ、前記カメラ搭載部が、前記支柱の水平、垂直の設置状況に応じて、前記カメラを水平状態に保てるように９０°角度の異なる２つの座面を有し、前記カメラがパン方向の位置調整を行うためのパンベースとチルト方向の位置調整を行うためのチルトベースを介して前記カメラ搭載部に固定がなされていることを特徴とするカメラ取付装置。
【発明の詳細な説明】
【技術分野】
【０００１】
本発明は、カメラ取付装置に関し、特に不審者等の監視を行うために、街灯等の支柱に監視カメラを容易に設置することが可能なカメラ取付装置に関するものである。
【背景技術】
【０００２】
従来から、電柱や街灯の支柱等に監視カメラを設置して、監視区域の状況を監視するといったことが行われている。このような目的に使用される監視カメラを設置する場合には、設置する支柱に合わせて専用の取付金具を準備する必要がある。
【０００３】
そこで、従来技術の一例として、特許文献１には、専用ポールを必要とせずに設置が可能で景観性の阻害を最小限に抑えることのできるカメラ装置が開示されている。
【先行技術文献】
【特許文献】
【０００４】
【特許文献１】特開平１１−３０８４８７号公報
【発明の概要】
【発明が解決しようとする課題】
【０００５】
また、監視カメラを支柱に設置する場合の別の従来技術として、図５が挙げられる。
図５は、従来のカメラ取付装置を用いてカメラを支柱に取り付けた場合の後方斜視図である。図５において、１はカメラであり、２はカメラを設置するための支柱であり、３００はカメラ１を支柱２に取り付ける際に使用するカメラ取付装置である。
また、カメラ取付装置３００は、受け金具３０１と押さえ金具３０２とチルト金具３０３とで構成される。
【０００６】
カメラ取付装置３００を用いてカメラ１を支柱２に取り付ける場合、事前に、受け金具３０１をチルト金具３０３とともにカメラ１に取り付けておく。そして、カメラ１に取り付けた受け金具３０１を支柱２に押し当て、反対方向から押さえ金具３０２で支柱２を挟み込むようにし、固定用ネジ３０４で締め付を行うことによって、カメラ１を支柱２に取り付けていた。その後、チルト調整ネジ３０５でチルト金具３０３と受け金具３０１との傾きの調整を行うようにしていた。                                                                
しかし、従来のカメラ取付装置３００では、受け金具３０１と押さえ金具３０２が別部品となっており、カメラ１を持ちながらこれら２部品の穴位置を合わせるようにして取り付けを行う必要があり、取り付け作業がとてもやり難いという問題があった。
【０００７】
また、従来のカメラ取付装置３００は、カメラ１を支柱２に取り付けた後に設置場所を変更することはないことを前提にしていたため、万が一設置場所の変更作業が発生すると、押さえ金具３０２や固定用ネジ３０４を誤って下方に落下させてしまうという問題があった。
【０００８】
本発明は、このような従来の事情に鑑みなされたものであり、押さえ金具及び固定用ネジを受け金具から外すことなく、また、任意の大きさの支柱に容易に取り付け取り外しができるカメラ取付装置を提供することを目的とする。
【課題を解決するための手段】
【０００９】
上述した課題を解決し、目的を達成するため、本発明の請求項１に係る発明は、カメラを固定するカメラ搭載部を備えた第１の固定部材と、支柱を間に入れて前記第１の固定部材と対面配置される第２の固定部材とから成り、前記第１の固定部材と前記第２の固定部材で前記支柱を挟み込み、前記第１の固定部材と前記第２の固定部材の両端部をそれぞれ固定用ネジで締結することによって前記支柱への固定がなされるカメラ取付装置において、第１の固定部材が、前記第１の固定部材の片方の端部に回転自在に取り付けられた第１の軸部を備え、前記第２の固定部材が、前記第１の軸部に先端が螺子締結されるとともに、前記第１の軸部と対面する前記第２の固定部材の端部に取り付けられた連結部材を備え、前記連結部材を介して回転自在に連結された前記第１の固定部材と前記第２の固定部材で前記支柱を挟み込んだ後、前記第１の固定部材と前記第２の固定部材の他方の端部同士を前記固定用ネジで締結することで取り付けを行うことを特徴とする。
【００１０】
上述した課題を解決し、目的を達成するため、本発明の請求項２に係る発明は、前記カメラ搭載部が、前記支柱の水平、垂直の設置状況に応じて、前記カメラを水平状態に保てるように９０°角度の異なる２つの座面を有するカメラ搭載部であることを特徴とする。
【発明の効果】
【００１１】
本発明によれば、受け金具に回転軸部を設け、固定用ネジを緩めた際に回転軸を中心に押さえ金具が開くので、固定用ネジを抜くことなくカメラ取付装置を支柱から取り付け取り外しが行えるという効果がある。また、押さえ金具に連結部を設け、連結部を介して受け金具と連結することで、固定用ネジを緩めた際に本体と分離せず、作業性の向上が図れるという効果がある。
また、カメラの設置場所は垂直に立った支柱だけでなく、水平な支柱にも取り付けられるように受け金具に９０°角度の異なる２つの座面を設けたので、使い勝手が良いという効果がある。
【図面の簡単な説明】
【００１２】
【図１】本発明の第１の実施形態に係るカメラ取付装置を用いてカメラを支柱に取り付けた場合の前方斜視図である。
【図２】本発明の第１の実施形態に係るカメラ取付装置の受け金具の軸を中心に押さえ金具、固定用ネジを開いた状態の図である。
【図３】本発明の第１の実施形態に係るカメラ取付装置を用いてカメラを支柱に取り付ける際の手順図である。
【図４】本発明の第１の実施形態に係るカメラ取付装置を用いてカメラを水平な支柱に取り付けた際の斜め後方からの斜視図である。
【図５】従来のカメラ取付装置を用いてカメラを支柱に取り付けた場合の後方斜視図である。
【図６】本発明の第２の実施形態に係るカメラ取付装置の受け金具の軸を中心に押さえ金具、固定用ネジを開いた状態の図である。
【図７】本発明の第３の実施形態に係るカメラ取付装置に第２のカメラを取り付けた場合の前方斜視図である。
【図８】本発明の第３の実施形態に係るカメラ取付装置を用いて第２のカメラを太目の支柱に取り付けた場合の前方斜視図である。
【図９】図８におけるカメラ取付装置の固定用ネジ３４ａ、３４ｂの中心を通る水平面に沿ったＦ−Ｆ断面を示す図である。
【発明を実施するための形態】
【００１３】
以下に、本発明の第１の実施形態に係るカメラ取付装置について、図１から図３を参照しながら説明する。
図１は、本発明の第１の実施形態に係るカメラ取付装置を用いてカメラを支柱に取り付けた場合の前方斜視図である。また、図２は、本発明の第１の実施形態に係るカメラ取付装置の受け金具の軸を中心に押さえ金具、固定用ネジを開いた状態の図である。
図１及び図２において、１はカメラ、２はカメラを設置するための支柱、また、３０はカメラ１を支柱２に取り付ける際に使用するカメラ取付装置である。
カメラ取付装置３０は、受け金具３１と、押さえ金具３２と、受け金具３１と押さえ金具３２とを連結するための固定用ネジ３４ａ，固定用ネジ３４ｂと、カメラ１のパン方向の位置調整を行うためのパンベース３５と、カメラ１のチルト方向の位置調整を行うためのチルトベース３６とで構成される。
【００１４】
また、受け金具３１は、押さえ金具３２が水平方向に回動できるように連結するための第１の軸３３ａ，第２の軸３３ｂを備える。更に、パンベース３５を水平方向の角度調整が行えるように固定するための取付穴３１ａと、取付穴３１ａを中心とした円弧状長穴３１ｂを水平面Ａ上に有し（取付穴３１ａ、円弧状長穴３１ｂは図４を参照）、また、この水平面と９０°を成す鉛直面Ｂ上にも同様に、取付穴３１ｃと、取付穴３１ｃを中心とした円弧状長穴３１ｄを有する。
また、押さえ金具３２は、支柱２の外径に合わせて、受け金具３１との間隔を調整できるようにするための長穴付きガイド３２ａ，３２ｂを備える。
また、チルトベース３６をパンベース３５にチルト方向の角度調整が行えるように固定するため、パンベース３５は、回転中心となる雌ネジ穴（図示せず）と、角度調整用の固定用ネジ４１が嵌合するための雌ネジ穴（図示せず）を有する。
また、チルトベース３６は、カメラ１の固定に使用する取付穴（図示せず）と、パンベース３５との固定に使用する２箇所の取付穴（図示せず）と、角度調整用の円弧状長穴３６ａを有する。
【００１５】
次に、本発明の第１の実施形態に係るカメラ取付装置３０を用いてカメラ１を支柱２に取り付ける際の手順について、図３を参照しながら説明する。
ただし、図１及び図２に示すように、事前に、固定用ネジ４１でパンベース３５にチルトベース３６を取り付けた後に、固定用ネジ４２でパンベース３５を受け金具３１に取り付ける。また、押さえ金具３２の長穴付きガイド３２ａ，３２ｂを受け金具３１の第１の軸３３ａの位置に合わせた後、固定用ネジ４３を用いて受け金具３１の第１の軸３３ａに押さえ金具３２の長穴付きガイド３２ａ，３２ｂを取り付ける。更に、先端部に雄ネジ加工を施した固定用ネジ３４ａを長穴付きガイド３２ａ，３２ｂの中央に設けた貫通穴から差し込み、受け金具３１の第１の軸３３ａの中央部に設けた雌ネジ加工部に捻じ込むことで締結を行う。ただし、固定用ネジ３４ａの捻じ込み量は、取り付けを行う支柱２の外径に応じて適宜調整を行う。
また、第２の軸３３ｂの中央部に設けた雌ネジ加工部には、先端部に雄ネジ加工を施した固定用ネジ３４ｂを捻じ込んでおく。
【００１６】
図３は、本発明の第１の実施形態に係るカメラ取付装置を用いてカメラを支柱に取り付ける際の手順図である。
初めに、カメラ１を受け金具３１の先端部にパンベース３５を介して固定したチルトベース３６に取り付ける。
次に、図３の（ａ）に示すように、取り付ける支柱２の外径に合わせ固定用ネジ３４ａの捻じ込み量を調整する。
次に、図３の（ｂ）に示すように、受け金具３１の第１の軸３３ａを中心に押さえ金具３２を広げ、支柱２を挟み込むようにして受け金具３１と押さえ金具３２を合わせるようにする。
次に、図３の（ｃ）に示すように、押さえ金具３２の切欠き部３２ｃに固定用ネジ３４ｂの首部を引っ掛けた後、固定用ネジ３４ｂの締め付けを行う。
なお、カメラ取付装置３０を支柱２に取り付けた後に、カメラ１をカメラ取付装置３０のチルトベース３６に取り付けるようにしても構わない。
【００１７】
また、本発明の第１の実施形態に係るカメラ取付装置３０を使用してカメラ１を水平な支柱２’に取り付ける際の手順について、図４を参照しながら説明する。
図４は、本発明の第１の実施形態に係るカメラ取付装置を用いてカメラを水平な支柱に取り付けた際の斜め後方からの斜視図である。
カメラ取付装置３０を水平な支柱２’に取り付ける際の手順は、図３と同様であるが、事前に行うパンベース３５の受け金具３１へ取り付け方が異なる。固定用ネジ４２でパンベース３５を受け金具３１に取り付ける際に、受け金具３１の面Ｂ上に設けた取付穴３１ｃと円弧状長穴３１ｄを使うことによって、カメラ１を水平な状態で設置することができる。（取付穴３１ｃ、円弧状長穴３１ｄは図１を参照）
【００１８】
以上説明したように、本発明により、受け金具に回転軸部を設け、固定用ネジを緩めた際に回転軸を中心に押さえ金具が開くので、固定用ネジを抜くことなくカメラ取付装置を支柱から取り付け取り外しが行えるという効果がある。また、押さえ金具に連結部を設け、連結部を介して受け金具と連結することで、固定用ネジを緩めた際に本体と分離せず、作業性の向上が図れるという効果がある。
また、カメラの設置場所は垂直に立った支柱だけでなく、水平な支柱にも取り付けられるように受け金具に９０°角度の異なる２つの座面を設けたので、使い勝手が良いという効果がある。
【００１９】
次に、本発明の第２の実施形態に係るカメラ取付装置について、図６を参照しながら説明する。
図６は、本発明の第２の実施形態に係るカメラ取付装置の受け金具の軸を中心に押さえ金具、固定用ネジを開いた状態の図である。なお、図１〜図４と同じものには、同じ符号が付されている。
図６において、１０１は第２のカメラ、また、５０は第２のカメラ１０１を支柱２に取り付ける際に使用するカメラ取付装置である。
カメラ取付装置５０は、受け金具３１と、押さえ金具３２と、受け金具３１と押さえ金具３２とを連結するための固定用ネジ３４ａ，固定用ネジ３４ｂと、第２のカメラ１０１のパン方向の位置調整を行うためのパンベース３５と、第２のカメラ１０１のチルト方向の位置調整を行うためのチルトベース３６と、更に、第２のカメラ１０１をチルトベース３６に取付けるためのアタッチメント３７とで構成される。
つまり、カメラ取付装置５０は、カメラ取付装置３０に対し、アタッチメント３７を追加した構成となっている。
【００２０】
次に、本発明の第３の実施形態に係るカメラ取付装置について、図７を参照しながら説明する。
図７は、本発明の第３の実施形態に係るカメラ取付装置に第２のカメラを取り付けた場合の前方斜視図である。なお、図１〜図４と同じものには、同じ符号が付されている。
カメラ取付装置６０は、受け金具３１と、押さえ金具３８と、受け金具３１と押さえ金具３８とを連結するための固定用ネジ３４ａ，固定用ネジ３４ｂと、第２のカメラ１０１のパン方向の位置調整を行うためのパンベース３５と、第２のカメラ１０１のチルト方向の位置調整を行うためのチルトベース３６と、更に、第２のカメラ１０１をチルトベース３６に取付けるためのアタッチメント３７とで構成される。
【００２１】
ここで、受け金具３１は、本発明の第１及び第２の実施形態に係るカメラ取付装置の受け金具と同様のものである。
また、押さえ金具３８は、受け金具３１との間隔を調整するための長穴付きガイド３８ａ，３８ｂと、先端に折り返しの付いた第１のバンド３８ｃと、第１のバンド３８ｃの先端折り返し部が引っ掛かるための複数の角穴を設けた第２のバンド３８ｄを備える。
【００２２】
次に、本発明の第３の実施形態に係るカメラ取付装置６０を用いて第２のカメラ１０１を太目の支柱２０１に取り付ける際の手順について、図８及び図９を参照しながら説明する。
ただし、図７に示すように、事前に、押さえ金具３８の長穴付きガイド３８ａ，３８ｂを第１のバンド３８ｃの端部にネジ止め固定し、受け金具３１の第１の軸３３ａの任意の位置に合わせ、固定用ネジ４３を用いて受け金具３１の第１の軸３３ａに水平方向にスライド可能な状態で取り付ける。更に、先端に雄ネジ加工を施した固定用ネジ３４ａを第１のバンド３８ｃの端部の中央に設けた貫通穴から差し込み、受け金具３１の第１の軸３３ａの中央部に設けた雌ネジ加工部に捻じ込むことで締結を行う。また、固定用ネジ３４ａの捻じ込み量は、取り付けを行う太目の支柱２０１の外径に応じて適宜調整を行う。
【００２３】
図８は、本発明の第３の実施形態に係るカメラ取付装置を用いて第２のカメラを太目の支柱に取り付けた場合の前方斜視図であり、また、図９は、図８におけるカメラ取付装置の固定用ネジ３４ａ、３４ｂの中心を通る水平面に沿ったＦ−Ｆ断面を示す図である。    なお、図１〜図４と同じものには、同じ符号が付されている。
最初に、太目の支柱２０１の外周の長さに合わせ、第２のバンド３８ｄの適当な角穴に第１のバンド３８ｃの先端折り返し部を引っ掛けて、第１のバンド３８ｃと第２のバンド３８ｄを太目の支柱２０１の周りに巻くように当てる。
次に、第２のバンド３８ｄの端部中央に設けた貫通穴に固定用ネジ３４ｂを差し込み、受け金具３１の第２の軸３３ｂの中央部に設けた雌ネジ加工部に捻じ込むことで仮固定する。
次に、図９に示すように、固定用ネジ３４ａ、３４ｂをＪまたはＫの白抜きの矢印方向に締め付けることで、太目の支柱２０１へのカメラ取付装置６０の取り付けが完了する。その後、アタッチメント３７を使って第２のカメラ１０１をカメラ取付装置６０のチルトベース３６に固定する。
【００２４】
以上説明したように、上記発明により、本発明の第１の実施形態に係るカメラ取付装置に対し、押さえ金具をバンド形式の押さえ金具に変更することによって、電柱等の太目な外径の支柱にも容易にカメラを設置することができ、使い勝手が良いという効果がある。
【符号の説明】
【００２５】
１：カメラ、２：支柱、２’：支柱、３０：カメラ取付装置、３１：受け金具、３１ａ：取付穴、３１ｂ：円弧状長穴、３１ｃ：取付穴、３１ｄ：円弧状長穴、３２：押さえ金具、３２ａ：長穴付きガイド、３２ｂ：長穴付きガイド、３２ｃ：切欠き部、３３ａ：第１の軸、３３ｂ：第２の軸、３４ａ：固定用ネジ、３４ｂ：固定用ネジ、３５：パンベース、３６：チルトベース、３６ａ：円弧状長穴、３７：アタッチメント、３８：押さえ金具、３８ａ：長穴付きガイド、３８ｂ：長穴付きガイド、３８ｃ：第１のバンド、３８ｄ：第２のバンド、４１：固定用ネジ、４２：固定用ネジ、４３：固定用ネジ、５０：カメラ取付装置、６０：カメラ取付装置、１０１：第２のカメラ、２０１：太目の支柱、３００：カメラ取付装置、３０１：受け金具、３０２：押さえ金具、３０３：チルト金具、３０４：固定用ネジ、３０５：チルト調整ネジ。
【図１】
0005854712.tif 000002
【図２】
0005854712.tif 000003
【図３】
0005854712.tif 000004
【図４】
0005854712.tif 000005
【図５】
0005854712.tif 000006
【図６】
0005854712.tif 000007
【図７】
0005854712.tif 000008
【図８】
0005854712.tif 000009
【図９】
0005854712.tif 000010